【事件の表示】
　特願２００２−２１８４８０「パチンコ機」拒絶査定不服審判事件〔平成１５年　４月　２日出願公開、特開２００３−９３６８８〕について、次のとおり審決する。
【結　論】
　本件審判の請求は、成り立たない。
【理　由】
１．手続の経緯
　本願は、平成９年４月１１日を出願日とする特願平９−１１０５０６号の一部を、平成１４年７月２６日に新たな特許出願としたものであって、平成１５年１０月２４日付けで拒絶理由が通知され、その指定期間内である同年１２月２２日に意見書及び手続補正書が提出され、平成１６年３月１日付けで拒絶査定がなされ、これに対し、同年４月６日に拒絶査定に対する審判が請求されるとともに、同年４月２６日付けで手続補正がなされたものである。
　
２．平成１６年４月２６日付けの手続補正についての補正却下の決定
［補正却下の決定の結論］
　　平成１６年４月２６日付けの手続補正を却下する。
　
［理由］
（１）補正後の本願発明
　本件補正により、特許請求の範囲の請求項１は、
「一側上下に軸支部材が備えられ木製板材で枠組みされた木製側枠（１）と、
　遊技盤（５）を収納する遊技盤収容面（２２０）が裏面側に設けられ、前記軸支部材に開閉自由に軸支される合成樹脂製前面枠体（２）と、
　前記合成樹脂製前面枠体（２）の前面上部に開閉可能に設けられ、前記遊技盤収容面（２２０）に収容された遊技盤（５）の遊技領域（５１）を囲いうる遊技開口（３１）が形成された主枠部材（３０）及び主枠部材（３０）の前面装飾部（３２）に装着される複数の合成樹脂製装飾部材（３３）により構成されると共に背面にガラス板収容枠（４）が装着された合成樹脂製前面板（３）と、
　を備え、
　前記木製側枠（１）が、前記合成樹脂製前面板（３）および前記合成樹脂製前面枠体（２）より側端を幅広になるように枠組み構成すると共に、前記合成樹脂製前面枠体（２）を前記合成樹脂製前面板（３）より巾広に形成することにより、前記木製側枠（１）の巾広部分にて前記合成樹脂製前面板（３）および合成樹脂製前面枠体（２）が損傷することを防護可能とする一方、前記合成樹脂製前面枠体（２）にて前記合成樹脂製装飾部材（３３）および前記合成樹脂製前面板（３）が損傷することを間接的に防護可能とすることを特徴とするパチンコ機。」
と補正された。
　
　上記補正は、請求項１に記載した発明を特定するために必要な事項である「木製側枠（１）が、合成樹脂製前面板（３）および合成樹脂製前面枠体（２）より側端を幅広になるように枠組み構成する」について「木製側枠（１）の巾広部分にて合成樹脂製前面板（３）および合成樹脂製前面枠体（２）が損傷することを防護可能とする」との限定を付加し、同じく「合成樹脂製前面枠体（２）を合成樹脂製前面板（３）より巾広に形成した」について「合成樹脂製前面枠体（２）にて前記合成樹脂製装飾部材（３３）および前記合成樹脂製前面板（３）が損傷することを間接的に防護可能とする」との限定を付加するものであって、平成１８年改正前特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）引用文献
　原査定の拒絶の理由に引用された特開平８−１７３６１２号公報（以下、「引用文献１」という。）には、図面とともに、
【００４５】［第１実施例］図１〜図６には、本発明をパチンコ遊技機に適用した第１実施例を示す。それらのうち、図１は前面枠２から保持枠３と開閉パネル７を開放し、機枠５から前面枠２を開放した状態を示すパチンコ遊技機１の斜視図、図２は遊技盤４の正面図、図３は保持枠３の背面側斜視図、図４はパチンコ遊技機を遊技領域の中央で切った要部中央平断面図、図５は透明シートに図柄を印刷した装飾シートの正面図、図６は遊技盤の盤面に装飾シートを重ねた状態を示す正面図である。
【００４６】このパチンコ遊技機１は、図１に示すように、機枠５の前面側に開閉自在に一端側をヒンジ５ａにより支持された前面枠２と、該前面枠２の上段部前面側に開閉自在にヒンジ６ａにより一端側を支持され、透明窓部材２０を保持する保持枠３と、該前面枠２の中段部前面側に開閉自在にヒンジ７ａにより一端側を支持された開閉パネル７などを備えている。
【００４７】前面枠２の上段部前面側には遊技盤収納部２ａが設けられ、該収納部２ａ中に遊技盤４が収納されている。
【００６３】このように、遊技領域４２に臨む透明窓部材２０を構成するガラス板２１，２２の間に装飾手段としての装飾シート５０が配されているので、今までにない斬新な装飾効果の得られる遊技機となる。
【００７６】このパチンコ遊技機１００では、図７に示すように、前面枠２の上段部前面側に取付枠１１０がその一端側をヒンジ６ａにより開閉可能に支持され、該取付枠１１０の裏側に窓ユニット（照明手段）２００が取り付けられる。
【００７７】取付枠１１０の中央には、図８に示すように、窓を構成する開口部１１１が設けられ、前面側上部にはリーチ表示等を行うパイロットランプ１１２が取り付けられている。
【００７８】窓ユニット２００は、図９に示すように中央に窓用開口部２１１ａを有する保持枠２１０と、この保持枠２１０の裏側に順次収納される外側ガラス板２２０、照明ユニット２３０および内側ガラス板２４０と、これらを保持枠２１０中に収納した状態に固定させる保持枠カバー２５０とから構成されている。
【００７９】保持枠２１０は、図１０に示すように、中央に透明窓部材２０を構成する外側ガラス板２２０と同じ大きさ形状の開口部２１１ａが形成された前面板２１１と、該前面板２１１の裏側に突出して設けられた側枠２１２とを備えている。・・・
との記載が認められる。
　
　また、摘記した上記の記載や図面から見て、以下のことが認定できる。
ａ．図１及び段落００４６の記載からみて、ヒンジ５ａは機枠５の一側上下に備えられているものであり、機枠５は板材で枠組みされたものと認められる。
　
ｂ．図７、８や段落００６３の記載等から見て、開口部１１１は遊技盤４の遊技領域４２に臨んでいるものと認められる。
　
ｃ．第１実施例の保持枠３と第２実施例の取付枠１１０とは、第１実施例についての図１と第２実施例についての図７において、いずれも開閉パネル７と同様の巾に形成されていることが見て取れるので、保持枠３と取付枠１１０はともに前面枠２に対して同様の巾関係にあり、図４を参酌すると、前面枠２は取付枠１１０よりも巾広に形成されているものと認められる。
　
　摘記した上記の記載及びこれらの記載並びに図面からの認定によれば、引用文献１には、
「一側上下にヒンジ５ａが備えられ、板材で枠組みされた機枠５と、
　遊技盤４を収納する遊技盤収納部２ａが前面側に設けられ、前記ヒンジ５ａに開閉自在に支持される前面枠２と、
　前記前面枠２の上段部前面側に開閉可能に支持され、前記遊技盤収納部２ａに収納された遊技盤４の遊技領域４２に臨む開口部１１１が形成され、その前面側上部に取り付けられるリーチ表示等を行うパイロットランプ１１２を有すると共に裏側に窓ユニット２００が取り付けられた取付枠１１０と、
　を備え、
　前記前面枠２を前記取付枠１１０より巾広に形成するパチンコ遊技機。」
の発明（以下「引用発明」という。）が開示されていると認めることができる。
　
（３）対比
　そこで、本願補正発明と引用発明とを比較すると、引用発明の「ヒンジ５ａ」は、本願発明の「軸支部材」に相当し、以下同様に、
「機枠５」は「側枠（１）」に、
「遊技盤４」は「遊技盤（５）」に、
「遊技盤収納部２ａ」は「遊技盤収容面（２２０）」に、
「開閉自在に支持される」は「開閉自由に軸支される」に、
「前面枠２」は「前面枠体（２）」に、
「上段部前面側」は「前面上部」に、
「開閉可能に支持され」は「開閉可能に設けられ」に、
「遊技盤収納部２ａに収納された」は「遊技盤収容面（２２０）に収容された」に、
「遊技領域４２に臨む」は「遊技領域（５１）を囲いうる」に、
「開口部１１１」は「遊技開口（３１）」に、
「前面側上部に取り付けられる」は「前面装飾部（３２）に装着される」に、
「リーチ表示等を行うパイロットランプ１１２を有する」は「装飾部材（３３）により構成される」に、
「裏側に窓ユニット２００が取り付けられた」は「背面にガラス板収容枠（４）が装着された」に、
「取付枠１１０」は「前面板（３）」に、それぞれ相当する。
　また、引用発明の「取付枠１１０」は、本願補正発明の「主枠部材（３０）」の機能を兼ね備えていることが明らかである。
　
　以上を総合すると、両者は、
「一側上下に軸支部材が備えられ板材で枠組みされた側枠と、
　遊技盤を収納する遊技盤収容面が設けられ、前記軸支部材に開閉自由に軸支される前面枠体と、
　前記前面枠体の前面上部に開閉可能に設けられ、前記遊技盤収容面に収容された遊技盤の遊技領域を囲いうる遊技開口が形成された主枠部材及び主枠部材の前面装飾部に装着される装飾部材により構成されると共に背面にガラス板収容枠が装着された前面板と、
　を備え、
　前記前面枠体を前記前面板より巾広に形成するパチンコ機。」
の点で一致し、以下の点で相違している。
［相違点１］本願補正発明は、側枠（１）が木製であるのに対し、引用発明の機枠５はその材質が明らかでない点。
　
［相違点２］本願補正発明は、「遊技盤収容面（２２０）」が裏面側に設けられているのに対し、引用発明の「遊技盤収納部２ａ」は前面側に設けられている点。
　
［相違点３］本願補正発明は、「前面枠体（２）」、「装飾部材（３３）」及び「前面板（３）」が合成樹脂製であるのに対し、引用発明の「前面枠２」、「パイロットランプ１１２」及び「取付枠１１０」はその材質が明らかでない点。
　
［相違点４］本願補正発明は、「装飾部材（３３）」を複数備えているのに対し、引用発明は「パイロットランプ１１２」を１つしか備えていない点。
　
［相違点５］本願補正発明は、「木製側枠（１）が、前面板（３）および前面枠体（２）より側端を幅広になるように枠組み構成すると共に、前記前面枠体（２）を前記前面板（３）より巾広に形成することにより、前記木製側枠（１）の巾広部分にて前記前面板（３）および前面枠体（２）が損傷することを防護可能とする一方、前記前面枠体（２）にて前記装飾部材（３３）および前記前面板（３）が損傷することを間接的に防護可能としているのに対し、引用発明は、かかる構成を明らかにしていない点。
　
（４）判断
［相違点１について］
　パチンコ機において、側枠を木製とすることは、例えば、文献２：特開平８−２４４１８号公報（特に、段落００１１）、文献３：特開平７−３０８４４７号公報（特に、段落０００８）及び文献４：特開平４−３０９３８９号公報（特に、段落０００６）に記載されているように、従来周知の技術的事項にすぎないから、引用発明の機枠５を木製とすることは、当業者が格別創意工夫を要することではない。
　
［相違点２について］
　パチンコ機において、遊技盤収容面を前面枠体の裏面側に設けることは、例えば、文献２：特開平８−２４４１８号公報（特に、段落００１３）、文献４：特開平４−３０９３８９号公報（特に、段落０００７）及び文献５：特開平７−８０１４４号公報（特に、段落００１２及び第４頁図１０）に記載されているように、従来周知の技術的事項にすぎないから、引用発明において、「遊技盤収納部２ａ」を「前面枠２」の裏面側に設けることは、当業者が格別創意工夫を要することではない。
　
［相違点３について］
　パチンコ機において、前面枠体、装飾部材及び前面板を合成樹脂製とすることは、例えば、文献３：特開平７−３０８４４７号公報（特に、請求項１、段落００２６、００４５）、文献４：特開平４−３０９３８９号公報（特に、段落０００６）、文献６：特開平７−１２４３１５号公報（特に、段落０００６、０００９、００２２）及び文献７：特開平７−１２４３０８号公報（特に、段落０００８、００１１）に記載されているように、従来周知の技術的事項にすぎないから、引用発明の「前面枠２」、「パイロットランプ１１２」及び「取付枠１１０」を合成樹脂製とすることは、当業者が格別創意工夫を要することではない。
　
［相違点４について］
　パチンコ機において、装飾部材を複数備えることは、例えば、文献５：特開平７−８０１４４号公報（特に、段落００１７及び図４）及び文献７：特開平７−１２４３０８号公報（特に、段落００１１、図１）に記載されているように、従来周知の技術的事項にすぎないから、引用発明の「パイロットランプ１１２」を複数設けることは、当業者が格別創意工夫を要することではない。
　
［相違点５について］
　パチンコ機において、側枠の側端を前面枠体より幅広になるように枠組み構成することは、例えば、文献２：特開平８−２４４１８号公報（特に、図４〜６）及び文献８：特開平２−３４１８６号公報（特に、第１３頁右下欄第１０〜１２行及び第１図）に記載されているように、従来周知の技術的事項にすぎず、幅広のものによって、それより幅の狭いものの損傷を防止することは、車のバンパー等で知られるように、一般的な技術常識であると共に、パチンコ機においても、その構成部材を枠から突出させないようにして破損等の防止を図ることが、例えば、文献５：特開平７−８０１４４号公報（特に、段落００１７）及び文献９：特開平６−２１８１２３号公報（特に、段落００１７）に記載されているように、従来良く知られているので、引用発明において、機枠５の側端を前面枠２より幅広になるように枠組み構成し、その巾広部分にて前面枠２及び取付枠１１０が損傷することを防護可能とすることは、当業者が格別創意工夫を要することではなく、また、引用発明の前面枠２は取付枠１１０より巾広に形成されているので、前記前面枠２がパイロットランプ１１２及び前記取付枠１１０が損傷することを間接的に防護していることは自明の事項である。
　
　よって、上記相違点１〜５に係る本願補正発明の構成は、当業者が容易に想到し得たものというべきである。
　さらに、本願補正発明の作用効果も、引用発明及び従来周知の技術から当業者が予測できる範囲のものである。
　したがって、本願補正発明は、引用発明及び従来周知の技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項において準用する同法第１２６条第５項の規定に違反するので、特許法第１５９条第１項において読み替えて準用する特許法第５３条第１項の規定により却下されるべきものである。
　
３．本願発明について
　平成１６年４月２６日付の手続補正は上記のとおり却下されたので、本願の請求項１に係る発明は（以下、「本願発明」という。）、平成１５年１２月２２日付の手続補正書によって補正された明細書の特許請求の範囲の請求項１に記載された事項により特定される、以下のとおりのものである。
「一側上下に軸支部材が備えられ木製板材で枠組みされた木製側枠（１）と、
　遊技盤（５）を収納する遊技盤収容面（２２０）が裏面側に設けられ、前記軸支部材に開閉自由に軸支される合成樹脂製前面枠体（２）と、
　前記合成樹脂製前面枠体（２）の前面上部に開閉可能に設けられ、前記遊技盤収容面（２２０）に収容された遊技盤（５）の遊技領域（５１）を囲いうる遊技開口（３１）が形成された主枠部材（３０）及び主枠部材（３０）の前面装飾部（３２）に装着される複数の合成樹脂製装飾部材（３３）により構成されると共に背面にガラス板収容枠（４）が装着された合成樹脂製前面板（３）と、
　を備え、
　前記木製側枠（１）が、前記合成樹脂製前面板（３）および合成樹脂製前面枠体（２）より側端を幅広になるように枠組み構成すると共に、前記合成樹脂製前面枠体（２）を前記合成樹脂製前面板（３）より巾広に形成したことを特徴とするパチンコ機。」
　
（１）引用文献
　原査定の拒絶の理由に引用された引用文献１及びその記載事項は、上記「２．（２）」に記載したとおりである。
　
（２）対比・判断
　本願の請求項１に係る発明は、上記「２．（１）」で検討した本願補正発明から「木製側枠（１）が、前記合成樹脂製前面板（３）および合成樹脂製前面枠体（２）より側端を幅広になるように枠組み構成する」の限定事項である「木製側枠（１）の巾広部分にて合成樹脂製前面板（３）および合成樹脂製前面枠体（２）が損傷することを防護可能とする」との構成を省き、「合成樹脂製前面枠体（２）を前記合成樹脂製前面板（３）より巾広に形成した」の限定事項である「合成樹脂製前面枠体（２）にて前記合成樹脂製装飾部材（３３）および前記合成樹脂製前面板（３）が損傷することを間接的に防護可能とする」との構成を省いたものである。
　そうすると、本願の請求項１に係る発明の構成要件を全て含み、さらに他の構成要件を付加したものに相当する本願補正発明が、上記「２．（４）」に記載したとおり、引用発明及び従来周知の構成に基づいて当業者が容易に発明をすることができたものであるから、本願発明も、同様の理由により、引用発明及び従来周知の技術に基づいて当業者が容易に発明をすることができたものである。
　
（３）むすび
　以上のとおり、本願発明は、引用発明及び従来周知の技術に基づいて、当業者が容易に発明をすることができたものであるから、特許法第２９条第２項の規定により特許を受けることができない。
　よって、結論のとおり審決する。